(57)【特許請求の範囲】
【請求項１】
鍵孔を軸方向に設けたプラグと、
プラグを回転可能に収容した筒状のケースと、
ケースの内周面より半径方向に設けたドライバピン孔に挿入されて、付勢手段によりケース中心方向に付勢されたドライバピンと、
鍵孔よりプラグの外周面に貫通して設けられて前記ドライバピン孔に相対するタンブラピン孔に挿入され、前記ドライバピンを介して鍵孔方向に付勢されるタンブラピンとを備え、
かつ、前記ドライバピンとタンブラピンとを、それぞれ筒状のアウタピンと、その内周に挿入嵌合したインナピンと、で構成され、該タンブラピンのインナピンには大径部が形成されるとともに、前記タンブラピンのアウタピンの内周には前記大径部に係合する段部が形成され、前記大径部と前記段部との係合により、該タンブラピンのインナピンのプラグ中心方向への摺動が規制されるシリンダ錠において、
前記ケースのドライバピン孔とプラグ回転方向にオフセットした位置に、該ケースの内周面より半径方向にピックプルーフピン孔を設け、
該ピックプルーフピン孔に、付勢手段によりケース中心方向に付勢されて前記タンブラピン孔に進入可能なピックプルーフピンを設け、該ピックプルーフピンを、タンブラピンのアウタピン内に進入可能な外径に形成し、前記ピックプルーフピンは、前記タンブラピンのインナピンに当接し前記大径部と前記段部との係合により移動が規制されることを特徴とするシリンダ錠。
【請求項２】
タンブラピンのインナピンを、その外周のアウタピンの内側端よりも突出しない位置に摺動規制したことを特徴とする請求項１に記載のシリンダ錠。
【請求項３】
ピックプルーフピン孔にアンチピック手段を設け、該アンチピック手段は、該ピックプルーフピン孔の閉塞手段であって、閉塞物はピックプルーフピンにより閉塞方向への移動が規制されており、ピックプルーフピンがタンブラピン孔に進入した際に、閉塞物は移動規制が解除され、ピックプルーフピン孔内に侵入し、ピックプルーフピンのピックプルーフピン孔への戻り移動を防止することを特徴とする請求項１又は２に記載のシリンダ錠。
【請求項４】
アンチピック手段が、ピックプルーフピン孔にピックプルーフピンの外側端部と摺動可能にオーバーラップして挿入配置されて、ピックプルーフピンのタンブラピン孔への進入によりピックプルーフピンが離脱すると縮径して、該ピックプルーフピンの外側端面に係合するアンチピックリングであることを特徴とする請求項３に記載のシリンダ錠。
【発明の詳細な説明】
【０００１】
【発明の属する技術分野】
本発明はピンタンブラ型のシリンダ錠に関する。
【０００２】
【従来の技術】
ピンタンブラ型のシリンダ錠の中には、例えば特開平１０−３０６６３３号公報に示されているように、ドライバピンおよびタンブラピンを何れも筒状のアウタピンと、該アウタピンの内周に挿入嵌合したインナピンとで構成して２重ピンタンブラ型とすることによって、シリンダ錠全体の軸方向および径方向の増大化を伴うことなく鍵違い数を増加できて防盗性を高められるようにしたものが知られている。
【０００３】
【発明が解決しようとする課題】
しかしながら、ピンタンブラ機構を２重ピンタンブラ構造に構成して鍵違い数を増加しても、ピックツールによるタンブラピンのピッキング操作が可能となるため、不正解錠の危険性を解消することは仲々困難である。
【０００４】
そこで、本発明はピックツールの使用によりピッキングが成功してプラグが回転可能状態となったとしても、該プラグの解錠位置への回動を阻止して不正解錠を確実に防止することができる２重ピンタンブラ型のシリンダ錠を提供するものである。
【０００５】
【課題を解決するための手段】
請求項１の発明にあっては、鍵孔を軸方向に設けたプラグと、
プラグを回転可能に収容した筒状のケースと、
ケースの内周面より半径方向に設けたドライバピン孔に挿入されて、付勢手段によりケース中心方向に付勢されたドライバピンと、
鍵孔よりプラグの外周面に貫通して設けられて前記ドライバピン孔に相対するタンブラピン孔に挿入され、前記ドライバピンを介して鍵孔方向に付勢されるタンブラピンとを備え、
かつ、前記ドライバピンとタンブラピンとを、それぞれ筒状のアウタピンと、その内周に挿入嵌合したインナピンと、で構成され、該タンブラピンのインナピンには大径部が形成されるとともに、前記タンブラピンのアウタピンの内周には前記大径部に係合する段部が形成され、前記大径部と前記段部との係合により、該タンブラピンのインナピンのプラグ中心方向への摺動が規制されるシリンダ錠において、
前記ケースのドライバピン孔とプラグ回転方向にオフセットした位置に、該ケースの内周面より半径方向にピックプルーフピン孔を設け、
該ピックプルーフピン孔に、付勢手段によりケース中心方向に付勢されて前記タンブラピン孔に進入可能なピックプルーフピンを設け、該ピックプルーフピンを、タンブラピンのアウタピン内に進入可能な外径に形成し、前記ピックプルーフピンは、前記タンブラピンのインナピンに当接し前記大径部と前記段部との係合により移動が規制されることを特徴としている。
【０００６】
請求項２の発明にあっては、請求項１に記載のタンブラピンのインナピンを、その外周のアウタピンの内側端よりも突出しない位置に摺動規制したことを特徴としている。
【０００８】
請求項３の発明にあっては、請求項１又は２に記載のシリンダ錠であって、ピックプルーフピン孔にアンチピック手段を設け、該アンチピック手段は、該ピックプルーフピン孔の閉塞手段であって、閉塞物はピックプルーフピンにより閉塞方向への移動が規制されており、ピックプルーフピンがタンブラピン孔に進入した際に、閉塞物は移動規制が解除され、ピックプルーフピン孔内に侵入し、ピックプルーフピンのピックプルーフピン孔への戻り移動を防止することを特徴としている。
【０００９】
請求項４の発明にあっては、請求項３に記載のアンチピック手段が、ピックプルーフピン孔にピックプルーフピンの外側端部と摺動可能にオーバーラップして挿入配置されて、ピックプルーフピンのタンブラピン孔への進入によりピックプルーフピンが離脱すると縮径して、該ピックプルーフピンの外側端面に係合するアンチピックリングであることを特徴としている。
【００１０】
【発明の効果】
請求項１に記載の発明によれば、ピックツールを使用してそれぞれアウタピンとインナピンとからなるタンブラピンとドライバピンとの当接面がシャーライン（ケースとプラグとの摺接面）と一致するようにピッキング操作されてプラグが回転可能状態とされても、プラグを解錠方向に回転するとその回転途中でピックプルーフピンがタンブラピン孔に進入し、該ピックプルーフピンがタンブラピン孔とピックプルーフピン孔とに跨ってピックプルーフ状態となり、それ以上のプラグの解錠方向への回転を阻止して不正解錠を未然に防止することができる。
また、本発明によれば、ピックプルーフ状態ではピックプルーフピンがタンブラピンのアウタピン内に進入しており、また、インナピンはアウタピン内に存在しているため、再度のピッキング操作により該タンブラピンのアウタピンの外側端をシャーラインに一致させることはできても、ピックツールによりインナピンを押してピックプルーフピンをシャーラインにまで押し戻し操作することは困難であるため、不正解錠防止効果をより一層高めることができる。
【００１１】
請求項２に記載の発明によれば、請求項１の発明の効果に加えて、タンブラピンのインナピンがアウタピンの内側端から鍵孔内に突出していないため、ピックツールによる該インナピンのピッキング操作が行いにくく、不正解錠防止効果を高めることができる。
【００１３】
請求項３に記載の発明によれば、請求項１又は２の発明の効果に加えて、ピックプルーフピンが一旦タンブラピン孔へ進入移動すると、アンチピック手段によってピックプルーフピンの戻り移動が阻止されるため、最早、この状態ではピックツールによるピッキング操作が全く不可能となって不正解錠をより確実に防止することができる。
【００１４】
請求項４に記載の発明によれば、請求項３の発明の効果に加えて、アンチピック手段として径方向にばね性を有するアンチピックリングを用いているため構造が簡単で、しかもスペース的に有利に配設できるため設計上およびコスト上有利に得ることができる。
【００１５】
【発明の実施の形態】
以下、本発明の実施形態を図面と共に詳述する。
【００１６】
図１，２において、筒状のケース１の上下には内周面より半径方向に複数のドライバピン孔２を該ケース１の軸方向に列設してあり、このドライバピン孔２内に筒状のアウタピン４とその内周に挿入嵌合したインナピン５とからなるドライバピン３を挿入配置してある。
【００１７】
ドライバピン孔２の外側開口部はカバー６により閉塞され、該カバー６とドライバピン３との間に、アウタピン４およびインナピン５を別々にケース中心方向に付勢する付勢手段としてのスプリング７，８を弾装してある。
【００１８】
ケース１に回転可能に収容したプラグ９には、その前面に開口する鍵孔１０を軸方向に設けてある。
【００１９】
この鍵孔１０は後述するキーをその表裏を逆に向けて差し込んで使用できるように、プラグ９の軸心に対して偏心して設けられて一側がプラグ９の外周面に開口している。
【００２０】
プラグ９の上下には前記鍵孔１０より外周面に貫通して前記ドライバピン孔２に相対する複数のタンブラピン孔１１を軸方向に列設してあり、このタンブラピン孔１１内に筒状のアウタピン１３とその内周に挿入嵌合したインナピン１４とからなるタンブラピン１２を挿入配置して、該タンブラピン１２を前記ドライバピン３を介して鍵孔１０方向に付勢している。
【００２１】
アウタピン１３は、その外周とタンブラピン孔１１とに設けられて相互に係合する段部１３ａ，１１ａによって鍵孔１０内への突出位置を規制してある。
【００２２】
また、インナピン１４はその大径部１４ｂとアウタピン１３の内周に設けた段部１３ｂとの係合によりプラグ中心方向の摺動位置が規制されるが、本実施形態では小径部１４ａの端部がアウタピン１３の内側端よりも突出しない位置に規制してあり、前記ドライバピン３のインナピン５は、このタンブラピン１２のアウタピン１３内に入り込んでインナピン１４の大径部１４ｂと当接するようにしている。
【００２３】
一方、鍵孔１０に差し込まれるキー１５の表裏面には図６に示すように上下のタンブラピン１２に対するコード部１６が偏心した位置に左右２列に設けられるが、このコード部１６はタンブラピン１２のアウタピン１３の外側端をシャーラインに一致させるためのディンプル１６ａと、ディンプル１６ａの中心に設けられてインナピン１４の大径部１４ｂをシャーラインに一致させるための小突起１６ｂとで構成される。
【００２４】
ここで、前記ケース１にはドライバピン孔２とプラグ回転方向にオフセットした位置に、該ケース１の内周面より半径方向にピックプルーフピン孔１７を設けてあり、このピックプルーフピン孔１７内にピックプルーフピン１８を挿入配置してある。
【００２５】
このピックプルーフピン１８は、ピックプルーフピン孔１７の外側開口部を閉塞したカバー１９との間に弾装した付勢手段としてのスプリング２０によりケース中心方向に付勢されて前記タンブラピン孔１１に進入可能とされており、本実施形態では該ピックプルーフピン１８を前記タンブラピン１２のアウタピン１３内に進入可能な外径に形成してある。
【００２６】
また、この実施形態ではピックプルーフピン孔１７をドライバピン孔２を中心に左右対称に設けて、それぞれにピックプルーフピン１８を配設することによって、プラグ９の端部に固着される図外のタングと固定側の係止部材との配置によって決まる解錠方向が左右異なる場合に対応できるようにしてあるが、解錠方向が一方向に特定されるものであれば、解錠方向にオフセットした位置にピックプルーフピン１８を１つ配設するだけでよい。
【００２７】
図１中の符号２１はプラグ９の軸方向移動を拘束するストッパリング、２２はプラグ９の回転を施錠角度および解錠角度の間に規制する回転規制カムを示す。
【００２８】
以上の実施形態の構造によれば、図３に示すようにプラグ９に矢印Ａで示す解錠方向にトルクを付加した状態で、鍵孔１０にピックツール２３を挿入してタンブラピン１２をピッキング操作した場合、アウタピン１３の外側端をシャーラインに一致させることができても、インナピン１４は該アウタピン１３の内側端から鍵孔１０内に突出していないため、該インナピン１４をその外側端（大径部１４ｂ端）がシャーラインに一致する位置までピッキング操作することは困難であるが、ピックツール２３を鍵孔１０内で押し引きを繰り返すレーキング操作を行った場合に、同図に示すように瞬間的にアウタピン１３、インナピン１４の外側端がシャーラインに一致することが考えられる。
【００２９】
このようにアウタピン１３とインナピン１４の外側端が瞬間的にでもシャーラインに一致してピッキングが成功すると、プラグ９は付加トルクにより図４に示すように解錠方向に回転するが、タンブラピン孔１１がピックプルーフピン孔１７の位置に至ると、同図に示すようにピックプルーフピン１８がスプリング２０のばね力によってタンブラピン孔１１に落ち込み、プラグ９が更に回転されてタンブラピン１２とピックプルーフピン１８の軸線が一致すると、図５に示すように該ピックプルーフピン１８がアウタピン１３内に進入してピックプルーフ状態となり、それ以上のプラグ９の解錠方向への回転を阻止して不正解錠を防止する。
【００３０】
このピックプルーフ状態ではピックプルーフピン１８がタンブラピン１２のアウタピン１３内に進入しており、また、インナピン１４はアウタピン１３内に存在しているため、再度のピッキング操作によってアウタピン１３の外側端をシャーラインに一致させることはできても、ピックツール２３によりインナピン１４を押してピックプルーフピン１８をシャーラインにまで押し戻すことは困難であるため、不正解錠防止を確かなものとすることができる。
【００３１】
図７は本発明の第２実施形態を示し、この実施形態では前記第１実施形態におけるピックプルーフピン孔１７内に、ピックプルーフピン１８がタンブラピン孔１１に進入した際に該ピックプルーフピン１８の戻り移動を阻止するアンチピック手段２４を設けてある。
【００３２】
アンチピック手段２４として、本実施形態ではスリット２５を設けて径方向にばね性を付与したアンチピックリングが用いられており、このアンチピックリング２４をスリット２５により拡径して、ピックプルーフピン孔１７にピックプルーフピン１８の外側端部と摺動可能にオーバーラップして挿入配置してある。
【００３３】
ピックプルーフピン孔１７の略上半部は、このアンチピックリング２４を収容保持してずれ下がりを阻止できるように若干大径に形成してあり、また、アンチピックリング２４とピックプルーフピン１８とのオーバーラップ量は、ピックプルーフピン１８がタンブラピン孔１１に進入すると、直ちに該ピックプルーフピン１８がアンチピックリング２４から離脱し得るように適宜に設定されている。
【００３４】
従って、この第２実施形態の構成によれば、前記第１実施形態の場合と同様に鍵孔１０にピックツール２３を挿入し、レーキング操作により図８に示すようにタンブラピン１２のアウタピン１３およびインナピン１４の外側端が瞬間的にシャーラインに一致されて、図９，１０に示すようにプラグ９の解錠方向への回転によりピックプルーフピン１８がタンブラピン孔１１に落ち込んで進入移動すると、該ピックプルーフピン１８がアンチピックリング２４から離脱すると同時に該アンチピックリング２４が直ちに縮径してピックプルーフピン１８の端面に係合し、該ピックプルーフピンの戻り移動が阻止される。
【００３５】
この状態ではピックツール２３による再度のピッキング操作が全く不可能となって不正解錠を確実に防止することができる。
【００３６】
なお、前記実施形態ではアンチピック手段として径方向にばね性を付与したアンチピックリング２４を用いた場合を例示したが、この他、ピックプルーフピン１８がタンブラピン孔１１に進入移動するピックプルーフピン孔１７の周面より突出して、ピックプルーフピン１８の戻り移動を阻止するストッパピン等を用いることも可能である。
【図面の簡単な説明】
【図１】本発明の第１実施形態を示す断面図。
【図２】図１のＡ−Ａ線に沿う断面図。
【図３】ピッキング操作によりタンブラピンがシャーラインに一致した状態を示す図２と同様の断面図。
【図４】プラグの回転によりピックプルーフピンがタンブラピン孔に進入した状態を示す図２と同様の断面図。
【図５】ピックプルーフピンがタンブラピンのアウタピン内に進入した状態を示す図２と同様の断面図。
【図６】同実施形態のシリンダ錠の施解錠に用いられるキーを示す断面図。
【図７】本発明の第２実施形態を示す図２と同様の断面図。
【図８】ピッキング操作によりタンブラピンがシャーラインに一致した状態を示す図７と同様の断面図。
【図９】プラグの回転によりピックプルーフピンがタンブラピン孔に進入した状態を示す図７と同様の断面図。
【図１０】ピックプルーフピンがタンブラピンのアウタピン内に進入した状態を示す図７と同様の断面図。
【符号の説明】
１  ケース
２  ドライバピン孔
３  ドライバピン
４  アウタピン
５  インナピン
７，８  スプリング（付勢手段）
９  プラグ
１０  鍵孔
１１  タンブラピン孔
１２  タンブラピン
１３  アウタピン
１４  インナピン
１７  ピックプルーフピン孔
１８  ピックプルーフピン
２０  スプリング（付勢手段）
２４  アンチピックリング（アンチピック手段）
【図１】
0004209560.tif 000002
【図２】
0004209560.tif 000003
【図３】
0004209560.tif 000004
【図４】
0004209560.tif 000005
【図５】
0004209560.tif 000006
【図６】
0004209560.tif 000007
【図７】
0004209560.tif 000008
【図８】
0004209560.tif 000009
【図９】
0004209560.tif 000010
【図１０】
0004209560.tif 000011